(57)【特許請求の範囲】
【請求項１】
足場用建枠の横材間に係止フックを係止させることによって連続して架け渡された足場板の対向端部間の隙間を塞ぐ足場板隙間カバーであって、
対向する両足場板に跨がって上方から架け渡されて前記隙間を被うカバー本体と、前記隙間に突入するようにカバー本体の下面に突設され、両足場板の対向端部に係止してカバー本体を両足場板間に架け渡された状態に保持する両側一対の保持脚部と、カバー本体の下面の幅方向中央部に、前記隙間に臨む横材に上方より係止するよう突設される係止部と、からなり、これらカバー本体と両側一対の保持脚部と係止部とは一体に形成されてなる足場板隙間カバー。
【請求項２】
保持脚部には、隙間カバー装着時に係止フックが臨む部分に係止フックが嵌まり込む切欠部が設けられてなる請求項１記載の足場板隙間カバー。
【請求項３】
カバー本体及び保持脚部には、隙間カバー装着時に係止フックが臨む部分に係止フックが嵌まり込む切欠部と開口部とが設けられてなる請求項１又は２に記載の足場板隙間カバー。
【発明の詳細な説明】
【０００１】
【発明の属する技術分野】
本発明は、建設作業現場で枠組みされる仮設枠組足場において、足場用建枠の横材間に足場板長手方向に連続して架け渡された足場板の対向端部間に形成される隙間を塞ぐ足場板隙間カバーに関する。
【０００２】
【従来の技術】
図８は建設作業現場で枠組みされた仮設枠組足場の一部を示したもので、各足場用建枠１は、一対の縦材３，３と、両縦材３，３をつなぐ横材２，２と、補強材４，４とによって形成され、上下複数段に継ぎ足される。足場板５は、足場板本体６とこれの両端部に夫々突設された係止フック７，７と、からなるもので、一定間隔おきに立設された対向する足場用建枠１，１の横材２，２間に横方向に２枚ずつ並列状態に架け渡されて、作業通路を形成する。
【０００３】
【発明が解決しようとする課題】
足場板５は、上記のように足場板本体６の両端部に夫々係止フック７，７を突設した構造であるから、この足場板５を、対向する足場用建枠１，１の横材２，２間に架け渡した時に、各足場用建枠１の横材２を挟んでその両側にある足場板５，５の対向端部間に隙間Ｓが形成される。このような隙間Ｓが作業通路に一定間隔おきに存在すると、ボルト・ナット等の金具や工具を誤って隙間Ｓから落としてしまった時、その金具や工具が下方の同様な作業通路で作業中の作業者に当たって怪我をさせるおそれがある。また、作業通路に隙間Ｓがあると、作業者が隙間Ｓに足を引っ掛け、転んでしまうおそれがあるなど、非常に危険である。
【０００４】
本発明の上記の問題点に鑑み、足場用建枠の横材間に架け渡された足場板の対向端部間の隙間を簡単な作業で確実に塞ぐことのできる足場板隙間カバーを提供することを目的とする。
【０００５】
【課題を解決するための手段】
請求項１に係る発明は、足場用建枠１，１の横材２，２間に係止フック７を係止させることによって連続して架け渡された足場板５，５の対向端部間の隙間Ｓを塞ぐ足場板隙間カバー１０、２０であって、対向する両足場板５，５に跨がって上方から架け渡されて前記隙間Ｓを被うカバー本体１１、２１と、前記隙間Ｓに突入するようにカバー本体１１、２１の下面に突設され、両足場板５，５の対向端部に係止してカバー本体１１、２１を両足場板間に架け渡された状態に保持する両側一対の保持脚部１２，１２、２２，２２と、カバー本体１１、２１の下面の幅方向中央部に、前記隙間Ｓに臨む横材２に上方より係止するよう突設される係止部１４、２４と、からなり、これらカバー本体１１と両側一対の保持脚部１２，１２、２２，２２と係止部１４、２４とは一体に形成されてなるなることを特徴とする。
【０００６】
請求項２は、請求項１に記載の足場板隙間カバーにおいて、各保持脚部１２には、隙間カバー装着時に係止フック７が臨む部分に係止フック７が嵌まり込む切欠部１６が設けられてなることを特徴とする。
【０００７】
請求項３は、請求項１又は２に記載の足場板隙間カバーにおいて、カバー本体２１及び保持脚部２２には、隙間カバー装着時に係止フック７が臨む部分に係止フック７が嵌まり込む切欠部２６と開口部２７とが設けられてなることを特徴とする。
【０００８】
【発明の実施の形態】
以下に、本発明の実施形態をついて、図１〜図７及び従来例を示す図８を参照しながら説明する。図１は足場用建枠１，１（図８参照）の横材２，２間に足場板長手方向に連続して架け渡された足場板５の対向端部間の隙間Ｓを塞ぐ２種類の足場板隙間カバー１０，２０を示す斜視図である。図２は隙間カバー１０が隙間Ｓに装着された状態を示す斜視図であり、図３の（Ａ）は隙間カバー１０の斜視図、（Ｂ）は隙間カバー１０を引っ繰り返した状態での斜視図、（Ｃ）は隙間カバー１０の平面図、（Ｄ）は正面図である。図４の（Ａ）は隙間カバー２０の斜視図、（Ｂ）は隙間カバー２０を引っ繰り返した状態での斜視図、（Ｃ）は隙間カバー２０の平面図、（Ｄ）は正面図である。図５は隙間カバー１０の取付状態を示す拡大横断面図、図７は隙間カバー２０の取付状態を示す拡大横断面図である。
【０００９】
図１には、対向する足場用建枠１，１（図８参照）の横材２，２間に足場板５を横方向（横材２の長手方向）に２枚ずつ並列に架け渡した状態を示している。先ず、隙間カバー１０の構成について説明すると、この隙間カバー１０は、図３の（Ａ）〜（Ｄ）に示すように、カバー本体１１と、このカバー本体１１を保持するための両側一対の保持脚部１２，１２とからなるもので、ポリ塩化ビニルやポリエチレン等の合成樹脂の押出成形によって一体に形成される。もちろん、合成樹脂の押出成形に限らず、金属板をプレス加工することによっても製作可能である。
【００１０】
カバー本体１１は、図５から分かるように、足場用建枠１の横材２を挟んで対向する両足場板５，５の対向端面５ａ，５ａ間の隙間Ｓの幅Ｗｓより広い幅Ｗｏを有し、このカバー本体１１の幅方向両端部１１ａ，１１ａが両足場板５，５に跨がって支持されるようになっている。また、このカバー本体１１は、カバー本体幅方向両端部１１ａ，１１ａよりもカバー本体中央部１１ｏが高くなって、山形に形成され、その上面には滑り止め用の突条部１３が複数条設されている。
【００１１】
両側一対の保持脚部１２，１２は、図５に示すようにカバー本体幅方向両端部１１ａ，１１ａの夫々内端部から下向きに垂設されたもので、両保持脚部１２，１２の下端部には横材２を挟んで対向する両足場板５，５の対向端面５ａ，５ａに係止する断面円弧状の外向き突条部１２ａ，１２ａが形成されていて、両外向き突条部１２ａ，１２ａは、両足場板５，５の対向端面５ａ，５ａに対し弾性係止するように外端面間の距離が両足場板５，５の対向端面５ａ，５ａ間の幅Ｗｓよりも若干広くなるように形成されている。しかして、隙間カバー１０の両保持脚部１２，１２を両足場板５，５間の隙間Ｓに突入させる際には、外向き突条部１２ａ，１２ａの夫々下端部が突入ガイドとなるから、両保持脚部１２，１２を隙間Ｓの真上からそのまま降ろすことによって、両保持脚部１２，１２を隙間Ｓに突入させることができる、そして隙間Ｓに突入した両保持脚部１２，１２の外向き突条部１２ａ，１２ａが図５に示すように両足場板５，５の対向端面５ａ，５ａに弾性係止することによって、カバー本体１１を両足場板５，５間に架け渡した状態に確実に保持することができる。
【００１２】
また図５から分かるように、カバー本体１１の下面にはその幅方向中央部に、前記隙間Ｓに臨む横材２に対して上方より係止する断面略Ｔ字状の係止部１４が突設されており、この係止部１４の下面１４ａは、横材２の外周面部に対応する円弧状に形成されている。
【００１３】
また、図３の（Ａ）〜（Ｄ）及び図５を参照すれば分かるように、隙間カバー１０の各保持脚部１２には隙間カバー装着時に足場板５の係止フック７が臨む部分（この実施形態では保持脚部１２の長手方向中央部分）に、その係止フック７が嵌まり込む切欠部１６が形成されている。前記係止部１４のカバー本体長手方向中央部にも、図３の（Ｂ）に示すように足場板５の係止フック７が臨む部分に切欠部１７が形成されている。
【００１４】
尚、カバー本体１１は、図５に示すように、カバー本体幅方向両端部１１ａ，１１ａよりもカバー本体中央部１１ｏが高くなった山形に形成されて、隙間カバー装着時に足場板５の係止フック７を収容できるようなっているが、係止フック７が干渉して邪魔になるようであれば、このカバー本体１１には係止フック７が臨む部分に、係止フック７が嵌まり込む開口部を設けるようにする。
【００１５】
足場板５の各端部に設けてある係止フック７は、周知構造のもので、図６に示すように、足場用建枠１の横材２に対し上方向からのみ嵌脱自在なフック本体７ａと、横材２に対しフック本体７ａの上方向への移動を阻止するロック部材７ｂとによって構成される。ロック部材７ｂは、上下２箇所に長孔ａ，ｂを有する円弧状部片からなるもので、両長孔ａ，ｂに夫々通されてフック本体７ａに固着されたピンｃ，ｄによって、図６に実線で示すロック位置と仮想線で示すロック解除位置との間でスライド自在に取り付けられ、常時は自重で実線図示のロック位置に保持されている。このロック位置で、フック本体７ａとロック部材７ｂとが横材２の外周の半周以上を抱持する状態となって、フック本体７ａの上方向への移動を阻止し、足場板５の浮き上がりを防止する。
【００１６】
次いで、隙間カバー２０について説明すると、この隙間カバー２０は、図４の（Ａ）〜（Ｄ）に示すように、カバー本体２１と、このカバー本体２１を保持する両側一対の保持脚部２２とからなるもので、前記隙間カバー１０と同様に、通常はポリ塩化ビニルやポリエチレン等の合成樹脂によって一体成形される。
【００１７】
カバー本体２１は、図７から分かるように平板状に形成されており、横材２を挟んで対向する両足場板５，５の対向端面５ａ，５ａ間の隙間Ｓの幅Ｗｓよりも広い幅Ｗｏを有し、このカバー本体２１の幅方向両端部２１ａ，２１ａが両足場板５，５に跨がって支持されるようになっており、また上面には滑り止め用の突条部１３が条設されている。
【００１８】
両側一対の保持脚部２２，２２は、図７に示すようにカバー本体幅方向両端部２１ａ，２１ａの夫々内側から下向きに垂設されたもので、両保持脚部２２，２２の外端面間の距離は両足場板５，５の対向端面５ａ，５ａ間の幅Ｗｓとほぼ同じ程度となっている。そして、両保持脚部２２，２２の夫々下端部には、両足場板５，５の対向端面５ａ，５ａの下端縁部に係合する係合突起部２２ａ，２２ａが夫々外向きに突設されており、両係合突起部２２ａ，２２ａの夫々下端面はテーパに形成されている。従って、隙間カバー２０の両保持脚部２２，２２を両足場板５，５間の隙間Ｓに突入させる際には、両保持脚部２２，２２を隙間Ｓの真上からそのまま降ろすだけで、両保持脚部２２，２２を隙間Ｓに突入させることができると共に、隙間Ｓに突入した両保持脚部２２，２２の下端部の係合突起部２２ａ，２２ａが図７に示すように両足場板５，５の対向端面５ａ，５ａの下端縁部に係合することによって、カバー本体１１を両足場板５，５間に架け渡した状態に確実に保持することができる。
【００１９】
またカバー本体２１の下面にはその幅方向中央部に、前記隙間Ｓに臨む横材２に対して上方より係止する係止部２４が下向きに突設されている。この係止部２４の下面２４ａは、横材２の外周面部に対応する円弧状に形成されている。そして、図４の（Ａ）〜（Ｄ）及び図７から分かるように、この隙間カバー２０の各保持脚部２２には足場板５の係止フック７が臨む部分に、その係止フック７が嵌まり込む切欠部２６が形成されると共に、カバー本体２１にも係止フック７が臨む部分に、係止フック７が嵌まり込む矩形状の開口部２７が形成されている。
【００２０】
上記のように構成される隙間カバー１０，２０は、足場用建枠１，１の横材２，２間に係止フック７を介して足場板５を架け渡す時に、横材２を挟んでその両側にある両足場板５，５の対向端部間の隙間Ｓに図１のようにして装着される。例えば、隙間カバー１０は、図５に示すように、両側一対の保持脚部１２，１２を足場板５，５の間の隙間Ｓに対し押し込むように突入させて、カバー本体１１の幅方向両端部１１ａ，１１ａを両足場板５，５に跨がって支持させるようにすれば、保持脚部１２，１２の下端部の外向き突条部１２ａ，１２ａが両足場板５，５の対向端面５ａ，５ａに弾性係止して、カバー本体１１が両足場板５，５間に架け渡した状態に保持されると共に、係止部１４が横材２に対し上方より係止してカバー本体１１が安定に支持される。斯くして隙間カバー１０は両足場板５，５間の隙間Ｓに的確に装着される。
【００２１】
隙間カバー２０も同様であって、図７に示すように、両保持脚部２２，２２を上方から両足場板５，５の間の隙間Ｓに対し押し込むように突入させて、カバー本体２１の幅方向両端部２１ａ，２１ａを両足場板５，５に跨がって支持させるようにすることにより、保持脚部２２，２２の下端部の外向き係合突起部２２ａ，２２ａが、両足場板５，５の対向端面５ａ，５ａの下端縁部に係合して、カバー本体２１が両足場板５，５間に架け渡した状態に保持されると共に、係止部２４が横材２に対し上方より係止してカバー本体１１が安定に支持され、斯くして隙間カバー２０も両足場板５，５間の隙間Ｓに的確に装着される。
【００２２】
上記のように、両足場板５，５間の隙間Ｓに隙間カバー１０，２０を装着することによって、隙間Ｓからのボルト・ナット等の部品や工具の落下を防止できると共に、作業者が隙間Ｓに足を引っ掛けて転んでしまうおそれがなくなり、作業上の安全を確保することができる。
【００２３】
また、隙間カバー１０の保持脚部１２には足場板５の係止フック７が臨む部分に、係止フック７が嵌まり込む切欠部１６が形成されており、また隙間カバー２０のカバー本体２１及び保持脚部２２には係止フック７が嵌まり込む切欠部２６と開口部２７とが設けられているから、隙間カバー１０，２０を隙間Ｓに装着する時に、横材２に掛止された足場板５の各係止フック７によって隙間カバー１０，２０の装着に支障を来すことがなく、隙間カバー１０，２０の装着作業を容易迅速に行うことができる。
【００２４】
また、上記のように隙間カバー１０の切欠部１６に足場板５の係止フック７が嵌まり込み、また隙間カバー２０の切欠部２６及び開口部２７に足場板５の係止フック７が嵌まり込むことによって、隙間Ｓに装着された隙間カバー１０，２０がその隙間Ｓの長手方向（足場板５の幅方向）にずれるのを防止できる効果がある。
【００２５】
以上説明した実施形態では、図１に示すように同じ仮設枠組足場に２種類の隙間カバー１０，２０を併用しているが、何れか１種類のものを使用すればよい。また、本発明に係る隙間カバーは、実施形態に示した２種類の隙間カバー１０，２０に限るものではなく、特許請求の範囲の諸項の範囲内において種々の変更態様が可能である。また、この実施形態の隙間カバー１０，２０は、足場用建枠１，１の横材２，２間に２枚の足場板５，５を並列に架け渡した時にできる隙間Ｓを塞ぐ大きさに形成されているが、もちろん本発明に係る隙間カバーは、足場用建枠１，１の横材２，２間に１枚の足場板５を架け渡した時にできる隙間を塞ぐ大きさに形成されてもよい。
【００２６】
【発明の効果】
請求項１に係る発明の隙間カバーは、両足場板に跨がって上方から架け渡されて両足場板間の隙間を被うカバー本体と、両足場板の対向端部に係止してカバー本体を両足場板間に架け渡された状態に保持する両側一対の保持脚部とからなるものであるため、この隙間カバーを両足場板間の隙間に装着することによって、隙間からのボルト・ナット等の部品や工具の落下を防止できると共に、作業者が隙間に足を引っ掛けて転んでしまうおそれがなくなり、作業上の安全を確保することができる。また、この隙間カバーを隙間に装着するには、保持脚部が隙間に突入するように押し込んで、カバー本体の幅方向両端部を両足場板に跨がって支持させるようにすればよいから、装着作業も簡単容易である。
【００２７】
また本発明によれば、カバー本体下面の幅方向中央部に、前記隙間に臨む横材に上方より係止する係止部が突設されているから、カバー本体の幅方向両端部が両足場板で支持される上に、幅方向中央部も横材に支持されるから、カバー本体全体を安定良く支持できる効果がある。
【００２８】
請求項２に係る発明によれば、保持脚部には係止フックが臨む部分に係止フックが嵌まり込む切欠部が設けてあるから、隙間カバーの装着時に、横材に掛止された足場板の各係止フックとの干渉を避けることができて、隙間カバーの装着に支障を来すことがなく、その装着作業を容易迅速に行うことができると共に、隙間カバーのずれを防止することができる。
【００２９】
請求項３に係る発明によれば、カバー本体及び保持脚部には係止フックが臨む部分に係止フックが嵌まり込む切欠部と開口部とが設けてあるから、隙間カバーの装着時に、横材に掛止された足場板の各係止フックとの干渉を避けることができて、隙間カバーの装着に支障を来すことがなく、その装着作業を容易迅速に行うことができると共に、隙間カバーのずれを防止することができる。
【図面の簡単な説明】
【図１】  足場用建枠の横材間に架け渡された足場板の対向端部間の隙間を塞ぐ例えば２種類の足場板隙間カバーを示す斜視図である。
【図２】  １つの種類の隙間カバーが隙間に取り付けられた状態を示す斜視図である。
【図３】  （Ａ）は１つの種類の隙間カバーの斜視図、（Ｂ）は同隙間カバーを引っ繰り返した状態の斜視図、（Ｃ）は同隙間カバーの平面図、（Ｄ）は正面図である。
【図４】  （Ａ）は他の種類の隙間カバーの斜視図、（Ｂ）は同隙間カバーを引っ繰り返した状態の斜視図、（Ｃ）は同隙間カバーの平面図、（Ｄ）は正面図である。
【図５】  図３に示す隙間カバーの取付状態を示す拡大横断面図である。
【図６】  係止フックを示す側面図である。
【図７】  図４に示す隙間カバーの取付状態を示す拡大横断面図である。
【図８】  従来の足場板の使用状態を示す斜視図である。
【符号の説明】
１                足場用建枠
２                足場用建枠の横材
５                足場板
５ａ              対向する両足場板の対向端面
７                係止フック
Ｓ                足場板間の隙間
１０，２０        隙間カバー
１１，２１        カバー本体
１２，２２        保持脚部
１４，２４        係止部
１６，２６        切欠部
１７，２７        開口部
【図１】
0003899230.tif 000002
【図２】
0003899230.tif 000003
【図３】
0003899230.tif 000004
【図４】
0003899230.tif 000005
【図５】
0003899230.tif 000006
【図６】
0003899230.tif 000007
【図７】
0003899230.tif 000008
【図８】
0003899230.tif 000009